(57)【要約】【課題】棚板をステンレススティール製とし、取付部材と支持部材を棚板の内部空間内に収納できるようにする。【解決手段】壁面に固定する取付部材１０と、この取付部材から略水平方向に延長し、棚板を支持する支持部材１５と、この支持部材に支持される棚板２０とからなる棚板構成体である。棚板が一側面に開口部２２を有する箱体からなり、その開口部から前記支持部材を挿入して棚板が支持される。支持部材を長尺の金属製帯状体を適宜折曲して取付部材に溶接し、棚板の内部空間内で棚板の平面形状のほぼ全体に渡り支持できる。これにより支持部材が棚板の骨組部材の機能をも果たす。棚板は板厚０．８ｍｍのステンレススティール材から形成され、棚板の内部空間内には支持部材と取付部材の両者が収納される。【選択図】  図１
2005230503.tif 000002
【特許請求の範囲】
【請求項１】
壁面等に取り付け、固定することができる取付部材（１０）と、この取付部材（１０）から略水平方向に延長し、棚板（２０）を支持することができる支持部材（１５）と、この支持部材（１５）に支持される棚板（２０）とからなり、棚板（２０）が一側面に開口部（２２）を有する箱体形状のものからなり、その開口部（２２）から箱体の内部空間内に前記支持部材（１５）を挿入して棚板（２０）を支持することができる棚板構成体において、
支持部材（１５）を１本又は複数本の長尺の金属製帯状体又は棒状体のものを適宜折曲して取付部材（１０）に固定し、棚板（２０）の内部空間内で棚板（２０）の平面形状のほぼ全体に渡り支持できるように構成し、これにより支持部材（１５）が棚板（２０）の骨組部材の機能をも果たし、且つ棚板（２０）が板厚の薄いステンレススティール材から形成されたものであることを特徴とする棚板構成体。
【請求項２】
請求項１において、取付部材（１０）と支持部材（１５）の全てが棚板（２０）の内部空間内に収納されることを特徴とする棚板構成体。
【発明の詳細な説明】
【技術分野】
【０００１】  本発明は、壁面等に取り付け、各種商品等を展示したりするときに使用するステンレススティール製の棚板とその支持部材等を組合せた棚板構成体に関するものである。
【背景技術】
【０００２】  従来の棚板構成体としては、以下の特許文献に記載されたものが挙げられる。
【特許文献１】特開平５−１１２号公報
【特許文献２】特開平５−１１３号公報
【特許文献３】特開２００３−３３４１２３号公報
【特許文献４】特開平５−１５４２５号公報
【特許文献５】特開平５−３１０１４号公報
【０００３】  上記従来の全ての棚板構成体における棚板は、ステンレススティール製ではないが、特許文献１乃至３に記載の「棚板」（棚板構成体）又は「棚受け具」は、何れも支持部材を箱体形状からなる棚板の内部空間内に挿入して、棚板を支持部材に支持させたときに、外部から支持部材が視認できないようにしたものである。
また、特許文献４及び５に記載の「収納装置」（棚板構成体）は、支持部材が形成されている取付部に特徴を有し、かかる取付部がレールに設けられ、このレール上を横方向に移動できるようにしたものであり、特許文献５に記載のものは、更にそのレールが壁パネルに被覆され、外部から視認できないように構成したものである。
【発明の開示】
【発明が解決しようとする課題】
【０００４】  上記従来の棚板構成体においては、支持部材が箱体形状からなる棚板の内部空間内に挿入されることによって、外部から支持部材が視認されることなく、スマートな外観を呈するが、特許文献１乃至３に記載の発明においては、支持部材が形成されている取付部材（文献１又は２においては「固定片」、文献３においては「支持板」）は、棚板の内部空間内に収納されていない。
同様に特許文献４に記載の発明では、レール上を摺動する「支持具」（取付部材）は、やはり明らかに棚板の内部空間内には収納されておらず、また特許文献５に記載の発明では、レール上を摺動する「支持具」は、壁パネルによって被覆されて外部からは視認できないが、やはり棚板の内部空間内には収納されていない。【０００５】  更に、何れの従来例においても、支持部材は、取付部材から略水平方向に棒状体のものが棚板の両端部分を支持するように２箇所に、或いはそれらと中央部の３箇所にのみ形成されているだけである。即ち、支持部材は、棚板の平面形状の全体に渡り支持できるように設けられておらず、また支持部材が棚板の骨組みの機能を果たすものではない。【０００６】  本発明においては、まず、これまで重量が重いという理由で或いはコストが高く成り過ぎるという理由で、ステンレススティール製の棚板を製造することが困難であったが、或いは製造されることがなかったが、その支持部材の構成の仕方と棚板の板厚を工夫することにより、極めて優れた外観を有するステンレススティール製の棚板を作製することをその第一の課題とする。
更に、本発明では、従来のものよりもより外観がスマートなものを追及しており、外部から棚板以外の全ての部材が視認できないもの、即ち棚板のみが壁面等に据え付けられているような外観を呈し、その支持部材並びに取付部材もが外部から視認できないものを提供することをその課題としている。
【課題を解決するための手段】
【０００７】  上記課題を解決するために、本発明の第１のものは、壁面等に取り付け、固定することができる取付部材（１０）と、この取付部材（１０）から略水平方向に延長し、棚板（２０）を支持することができる支持部材（１５）と、この支持部材（１５）に支持される棚板（２０）とからなり、棚板（２０）が一側面に開口部（２２）を有する箱体形状のものからなり、その開口部（２２）から箱体の内部空間内に前記支持部材（１５）を挿入して棚板（２０）を支持することができる棚板構成体において、支持部材（１５）を１本又は複数本の長尺の金属製帯状体又は棒状体のものを適宜折曲して取付部材（１０）に固定し、棚板（２０）の内部空間内で棚板（２０）の平面形状のほぼ全体に渡り支持できるように構成し、これにより支持部材（１５）が棚板（２０）の骨組部材の機能をも果たし、且つ棚板（２０）が板厚の薄いステンレススティール材から形成されたものであることを特徴とする棚板構成体である。【０００８】  本発明の第２のものは、上記第１の発明において、取付部材（１０）と支持部材（１５）の全てが棚板（２０）の内部空間内に収納されることを特徴とする棚板構成体である。
【発明の効果】
【０００９】  本発明の第１のものにおいては、支持部材の構成により板厚の薄いステンレススティール素材を使用して棚板を形成することができることとなり、つまり棚板の重量を極めて軽くすることができるため、その結果棚板をステンレス製とすることができ、その外観が極めてモダンなスマートなものを作製することができた。
本発明の第２のものにおいては、支持部材ばかりでなく、取付部材も棚板の内部空間内に収納されることとなるため、これら支持部材や取付部材は、外側からは全く目に映ることがなく、棚板のみが壁面等に形成された外観を呈し、極めてスマートなものとなる。
【発明を実施するための最良の形態】
【００１０】  以下、添付の図面と共に本発明の実施の形態について説明する。
図１が本発明の第１の実施形態を図示する一部透視分解斜視図であって、棚板部分を透視した状態に図示している。
本発明に係る棚板構成体は、壁面等に取り付けられ、固定される取付部材１０と、取付部材１０から略水平方向に延長する支持部材１５と、この支持部材１５に支持される棚板２０とからなる。
取付部材１０は、所定の長さを有する１本の金属製の帯状のものからなり、これを水平状態にして使用する。取付部材１０の両端部１１、１１は支持部材の延長方向に折曲されている。取付部材１０の適宜位置には、取付部材１０を壁面等に取り付け、固定するための螺子孔１２、１２、…が穿設され、この螺子孔を利用して螺子等により取付部材１０を壁面等に取り付け、固定することができる。螺子孔の個数は自由であり、その位置も強度を考慮して、図には現れていないが、隣り合う螺子孔の位置をそれぞれ相互に上下に少しずらしてジグザグ状に配置している。【００１１】  支持部材１５も１本の長さの長い金属製の帯状のものを使用し、これを適宜順次図示したような形状にジグザク状に折曲したものを取付部材１０に溶接着して形成している。従って、この実施形態においては、これら支持部材１５の折曲により、棚板を支持する部分は、一定の支持面積をもって６箇所に形成されることとなる。
尚、支持部材１５は、１本の長尺の帯状体のものを使用しているが、これを複数本のものから形成することも、また１本又は複数本の棒状体のものから形成することも当然可能である。要は、これらの支持部材が棚板の平面形状に適合するように、例えばジグザク状に折曲して棚板の平面形状のほぼ全体に渡り支持できればよいのである。
このような形状に支持部材１５を形成することによって、支持部材１５は、棚板をその平面形状のほぼ全体に渡り支持できると同時に、棚板の骨組みの役目をも果たすこととなり、棚板の骨組部材としての機能をも有することとなる。【００１２】  棚板２０は、内部が中空の箱体形状のステンレススティール製のものからなり、その支持部材１５が位置する側（図中右側）の一側面全体に開口部２２が形成されている。この開口部２２から支持部材１５を棚板２０の内部空間内に挿入して棚板２０を支持部材１５が支持することができる。
開口部２２は、棚板２０の一側面全体に設けられていなくてもよく、その一側面の両端部分が少し閉塞したものであってもよい。
本実施形態においては、その外観のスマートさから棚板としてステンレススティール製のものを使用したが、これまでその重量が重いことによりステンレス製のものを作製することが困難であったが、上記支持部材１５の構成により、つまりその支持部材が棚板の骨組みの機能をも果たすことにより、ステンレスの板厚をより薄くできることとなり、その結果ステンレス製の棚板を作製することができたのである。【００１３】  本実施形態において使用しているステンレス素材の板厚は、０．８ｍｍであるが、その重量等を考慮して１．０ｍｍ以下であることが望ましい。また、ステンレスの軽量化を目指して、更に板厚０．６ｍｍのものも作製することが可能であるが、量産を考慮すると本実施形態の０．８ｍｍのものが最適である。
尚、ステンレスの板厚を薄くした場合には、その強度が低下して、例えば両端部のみでこのような板厚の薄い棚板を支持すると、棚板が歪んだり、反ってしまったりしてこれまで板厚の薄いステンレスを棚板として使用することが出来なかったのが現実であった。今回、発明者は、この点を考慮して上記のように支持部材の形状を工夫し、支持部材に棚板の骨組機能を付加させて、本願に係る第３の発明を完成させたのである。【００１４】  棚板２０の内部空間内には、支持部材１５の一部と係合しうる係合部材２５が２箇所に形成されている。かかる係合部材２５は、その基部２５ｋが棚板２０の内部空間の底面に溶接着されており、その基部２５ｋに逆Ω（オメガ）形状の金属製の帯状体からなる係合部２５ａの略中央部のみが溶接着され、係合部２５ａの両端部分２５ｂ、２５ｂは、金属の有する弾性により広狭自在に可動するように形成されている。
この係合部２５ａと係合する係合部材としての係合部１５ａが支持部材１５の一部としてその２箇所に形成されている。この係合部１５ａは、係合部２５ａの形状と略同一の形状（取付部材からの立ち上がり部を除く）を有するものからなり、棚板２０を支持部材１５に支持させる際に、前記係合部２５ａが前記係合部１５ａと相互に係合することによって、同時に棚板２０は支持部材１５に固定され、抜脱防止が図れるのである。【００１５】  更に詳述すると、棚板２０の側に設けられている係合部材としての係合部２５ａは、支持部材１５の側の係合部材としての係合部１５ａと係合するに際し、前記係合部２５ａの両端部２５ｂ、２５ｂが拡開してその後復元することによって、支持部材１５の係合部１５ａの谷部１５ｄに棚板２０の係合部２５ａの山部２５ｄが係合して、係合部２５ａと係合部１５ａとが相互に係合することとなるのである。【００１６】  棚板２０を支持部材１５に組み付けるに際して、棚板２０の開口部２２の両端内側部は、取付部材１０の両端部１１、１１ときっちりと適合し、これにより棚板の左右方向（支持部材の延長方向と直角の方向）への移動が完全に制限される。両端部１１，１１の先端を開口部２２の横幅よりも少し広く形成することによって強制嵌合させて組み付けるようにすることも自由である。
以上により、取付部材１０を壁面等に螺子等により取り付け、固定し、支持部材１５を棚板２０の内部空間内に挿入して、組み付けることによって棚板２０は支持部材１５にそれぞれの係合部２５ａと１５ａとが係合することにより固定され、同時に取付部材１０も棚板２０の内部空間内に収納され、支持部材１５並びに取付部材１０も完全に棚板２０内に隠された状態となるのである。これによってステンレス製の棚板のみが外部から視認され、極めて外観のスマートな棚板が壁面等に取り付け、固定されることとなるのである。【００１７】  図２は本発明の第２の実施形態を図示する一部透視分解斜視図である。
この実施形態においては、その棚板４０の平面形状が半楕円形形状を有しており、それに対応して支持部材３５の構成も棚板の外形形状に適合するように、長尺の金属製の帯状体を適宜折曲して、棚板４０の平面形状のほぼ全体を支持できるように構成して、同時に棚板４０の骨組の機能をも発揮できるように形成したものである。この支持部材も複数本の金属製の帯状体を使用して、或いは１本又は複数本の棒状体から形成できることは前記第１の実施形態と同様である。
その他の構成は、前記第１の実施形態と全く同様である。【００１８】  即ち、この第２の実施形態は、壁面等に取り付けられ、固定される取付部材３０と、取付部材３０から略水平方向に延長する支持部材３５と、この支持部材３５に支持される棚板４０とからなる。
取付部材３０は、所定の長さを有する１本の金属製の帯状のものからなり、その両端部３１、３１が支持部材の延長方向に折曲されている。取付部材３０の適宜位置には、取付部材３０を壁面等に取り付け、固定するための螺子孔３２、３２、…が穿設され、この螺子孔を利用して螺子等により取付部材３０を壁面等に取り付け、固定することができる。【００１９】  支持部材３５も１本の長さの長い金属製の帯状のものを使用し、これを適宜順次図示したようなジグザク状に折曲し、棚板の平面形状に合致するように形成したものを取付部材３０に溶接着して形成している。
このような形状に支持部材１５を形成することによって、支持部材１５は、棚板をその平面形状のほぼ全体に渡り支持できると同時に、棚板の骨組みの役目をも果たすこととなり、棚板の骨組部材の機能をも果たすこととなるのである。
支持部材は、複数本の帯状体から、又は１本又は複数本の棒状体から形成することもできる。【００２０】  棚板４０は、内部が中空の箱体形状のステンレススティール製のものからなり、その支持部材３５が位置する側の一側面に開口部４２が形成されている。この開口部４２から支持部材３５を棚板４０の内部空間内に挿入して棚板４０を支持することができる。
棚板４０の内部空間内には、支持部材３５の一部と係合しうる係合部材４５が２箇所に形成されている。かかる係合部材４５には支持部材３５の係合部３５ａと係合する係合部４５ａが形成されている。
この係合部４５ａと係合する係合部材としての係合部３５ａが支持部材３５の一部としてその２箇所に形成されている。これらの係合部４５ａと３５ａを相互に係合することによって、棚板４０は支持部材３５に固定され、抜脱防止が図れる。【００２１】  棚板４０を支持部材３５に組み付けるに際して、棚板４０の開口部４２の両端内側部は、取付部材３０の両端部３１、３１ときっちりと適合する。
以上により、取付部材３０を壁面等に螺子等により取り付け、固定し、支持部材３５を棚板４０の内部空間内に挿入して、組み付けることによって棚板４０は支持部材３５に固定され、同時に取付部材３０も棚板４０の内部空間内に収納され、支持部材３５並びに取付部材３０も完全に棚板内に隠された状態となる。【００２２】  以上、本発明の実施形態について説明したが、本発明においては以下の通り種々設計変更することが可能である。
棚板の平面形状は、上記実施形態に示したものに限られることはなく、全く自由に設計することができる。
棚板等の各種の大きさ又は寸法は適宜自由に設定することができる。特に棚板を形成するためのステンレススティール材の板厚は、より薄ければ薄いほどよいのであるが、その製造上の問題からその薄さにも限りがあり、上記実施形態では０．８ｍｍのものを使用したが、約１．０ｍｍ以下が望ましい。
支持部材の平面視外形形状も棚板の平面形状に合致するように１本又は複数本の長尺の金属製帯状体又は棒状体を適宜ジグザク状に折曲して形成することができる。或いは格子状に形成してもよいが、重量の点で問題は残る。
また、支持部材は、取付部材から略水平方向に延長する多数の単なる棒状体からなるものであってもよいが、棚板を支持する強度の関係上或いは骨組みとしての機能を考慮すれば、隣接する棒状体の先端部が接続した状態に構成する方が強度の面で優れている。【００２３】  棚板の内部に形成された係合部材及び支持部材に形成される係合部材の形状、大きさ、個数も全く自由に設計することができ、その位置についても棚板の内部空間の両側部分（開口部の左右両端部分の内側）に形成することも可能であり、その位置は全く自由に設計することができる。
例えば、上記実施形態において取付部材１０及び３０の両端部１１，１１或いは３１、３１の形状を波形とし、棚板２０，４０の内部空間の両側部分に内向きに突出する山形形状の突出部を形成して相互に係合させることもできる。このように係合部材同士の個々の実施形態は全く自由に設計でき、要は棚板が支持部材から離脱しない状態に係合できるものであればどのような形態であってもよい。【００２４】  取付部材は、上記の実施形態では、棚板の内部空間内に完全に収納される形態のものを例示したが、この取付部材が棚板の外部から見える形態として実施することも当然可能である。
例えば、取付部材として上記実施形態のものを使用し、その取付部材の両端部から或いは両端部とその中間部から上又は下方向に延長する板状取付部を延設したものを使用することにより、取付部材をより強固に壁面等に固定することもできる。そして更に、この延設した板状取付部に下方向又は上方向から棚板を支持する補強部材を付加することも可能である。但し、本発明の上記実施形態に示した通り、取付部材を棚板の内部空間内に完全に収納した形態のものの方がよりスマートなものとなる。
以上、実施の形態については特許請求の範囲内において種々設計変更することが可能である。
【図面の簡単な説明】
【００２５】
【図１】本発明に係る第１の実施形態の一部透視分解斜視図である。
【図２】本発明に係る第２の実施形態の一部透視分解斜視図である。
【符号の説明】
【００２６】１０、３０…取付部材、１５、３５…支持部材、２０，４０…棚板、１５ａ，２５ａ，３５ａ，４５ａ…係合部（係合部材）、２２，４２…開口部
【図１】
2005230503.tif 000003
【図２】
2005230503.tif 000004